(57)【特許請求の範囲】
【請求項１】
カードが接続されるコネクタと、上記カードを所定の排出位置と上記コネクタに接続される所定のカード装着位置との間で移送させるローディング機構とを備え、
上記カードが、前端部の一方に斜めに切り欠かれたテーパ部を有し、上記コネクタが、上記カードの上記テーパ部に対応した形状に形成され、当該コネクタに対する上記カードの誤挿入を規制する誤挿入防止部と、上記カードが上記所定のカード装着位置まで移送されたことを検出するカード装着検出手段とを備えるとともに、
上記コネクタの上記カード装着検出手段から出力される信号に応じて、挿入されたカードが上記所定のカード装着位置まで移送されない事態を生じているかどうか判断する判断手段を含み、この判断手段で、上記挿入されたカードが上記所定のカード装着位置まで移送されない事態を生じていると判断された場合に、上記カードを上記所定の排出位置まで強制的に戻す制御をおこなう制御手段を備え、
上記ローディング機構が、上記カードを移送させるための搬送部材と、この搬送部材を移動させるモータと、ローディングが開始される初期位置に上記搬送部材が移動したことを検出するローディング開始検出スイッチとを含み、
上記カード装着検出手段が、上記搬送部材がローディング完了位置へ移動したことを検出する検出手段を兼ねることを特徴とするカード接続装置。
【請求項２】
上記請求項１記載の発明において、
上記カードが側縁に凹部を有するとともに、
上記搬送部材が、上記凹部に係合する係合部材を備え、
上記係合部材を上記凹部に係合させて上記カードの移送をおこなうことを特徴とするカード接続装置。
【請求項３】
上記請求項１または２記載の発明において、
上記制御手段の上記判断手段が、所定時間に基づいて判断をおこなうものから成ることを特徴とするカード接続装置。
【請求項４】
上記請求項１または２記載の発明において、
上記制御手段の上記判断手段が、上記モータの負荷電流に基づいて判断をおこなうものから成ることを特徴とするカード接続装置。
【発明の詳細な説明】
【０００１】
【発明の属する技術分野】
本発明は、情報カードである小型メモリカード等を移送させるローディング機構を備えるとともに、カードの誤挿入防止機能を有するカード接続装置に関する。
【０００２】
【従来の技術】
この種の従来技術として、小型メモリカードの接触部と接触する端子部材を有するコネクタと、小型メモリカードを、所定の排出位置とコネクタに接続される所定のカード装着位置との間で移送させるローディング機構を備えたものがある。挿入される小型メモリカードは、例えば前端部の一方の隅部に斜めに切り欠かれたテーパ部を有している。
【０００３】
この従来技術では、小型メモリカードの誤挿入を防止する手段として、小型メモリカードのテーパ部に対応させて回動可能なアームを備えている。小型メモリカードが正しく挿入されたときには、テーパ部に押されてアームが小型メモリカードの移送を許容させるように回動し、小型メモリカードが誤った形態で挿入されたときには、小型メモリカードの前端部がアームに衝合し、これによって小型メモリカードの装置奥側への移送が阻止されるようになっている。
【０００４】
上述したコネクタは、小型メモリカードが所定のカード装着位置に至ったときに作動するカード装着検出手段、すなわちカード装着検出スイッチを備えている。このカード装着検出スイッチは、固定接点部材と可動接点部材とから成っている。小型メモリカードがカード装着位置にないときには、例えば、可動接点部材が固定接点部材に接触してＯＮとなり、小型メモリカードがカード装着位置に至ると、その小型メモリカードによって可動接点部材が固定接点部材から離れＯＦＦとなるように構成されている。
【０００５】
なお、上述した誤挿入防止機能を有するカード接続装置にあっても、部品数の低減、装置の簡素化が求められている。このような観点から、例えばローディング機構として、ローディングの開始を検出するローディング開始検出スイッチ、及びローディングの完了を検出するローディング完了検出スイッチを設け、例えばローディング開始スイッチを排出位置検出スイッチも兼ねさせるようにしてスイッチ数の低減をおこなうことが考えられる。
【０００６】
【発明が解決しようとする課題】
上述のように、小型メモリカードの誤挿入を防止する手段として回動可能なアームを備えた従来技術では、本体を形成するシャーシとは別に、独立した部材としてアームを製作しなければならず、部品数が多くなり、製作コストが高くなる問題がある。また、シャーシにアームに相当する長さ分だけ領域を確保しなければならないことから、シャーシの全長が長くなり、小型化を見込めない問題がある。
【０００７】
なお、このような従来技術にあって、ローディング機構に含まれるスイッチとして、上述のようなローディング開始検出スイッチ、ローディング完了検出スイッチを設ける場合には、２つのスイッチを介してローディング動作を実現できるので、比較的スイッチ数は少なくて済み、製作費の低減に有利である。しかし、さらなる開発も期待されている。
【０００８】
本発明は、上記した従来技術における実状からなされたもので、その第１の目的は、アームを設けることなく、カードの誤挿入を防止することができるカード接続装置を提供することにある。
【０００９】
また第２の目的は、特別なローディング完了検出スイッチを設けることなくローディング完了を検出することができるカード接続装置を提供することにある。
【００１０】
【課題を解決するための手段】
上記各目的を達成するために、本発明は、カードが接続されるコネクタと、上記カードを所定の排出位置と上記コネクタに接続される所定のカード装着位置との間で移送させるローディング機構とを備え、上記カードが、前端部の一方に斜めに切り欠かれたテーパ部を有し、上記コネクタが、上記カードの上記テーパ部に対応した形状に形成され、当該コネクタに対する上記カードの誤挿入を規制する誤挿入防止部と、上記カードが上記所定のカード装着位置まで移送されたことを検出するカード装着検出手段とを備えるとともに、上記コネクタの上記カード装着検出手段から出力される信号に応じて、挿入されたカードが上記所定のカード装着位置まで移送されない事態を生じているかどうか判断する判断手段を含み、この判断手段で、上記挿入されたカードが上記所定のカード装着位置まで移送されない事態を生じていると判断された場合に、上記カードを上記所定の排出位置まで強制的に戻す制御をおこなう制御手段を備え、上記ローディング機構が、上記カードを移送させるための搬送部材と、この搬送部材を移動させるモータと、ローディングが開始される初期位置に上記搬送部材が移動したことを検出するローディング開始検出スイッチとを含み、上記カード装着検出手段が、上記搬送部材がローディング完了位置へ移動したことを検出する検出手段を兼ねる構成にしてある。
【００１１】
このように構成した本発明では、カードが正しく挿入されたときには、カードのテーパ部がコネクタに形成された誤挿入防止部に適合し、このカードが所定のカード装着位置に至ったことがカード装着検出手段で検出される。すなわち、検出信号が例えばＯＦＦとなる。
【００１２】
また、挿入されたカードが誤った形態で挿入されたときには、カードの前端部のテーパ部が形成されていない部分が誤挿入防止部に衝合し、装置奥側へのカードの移送が阻止される。従って、カードは所定のカード装着位置まで至らず、カード装着検出手段から出力される検出信号は、例えばＯＮのままに維持される。
【００１３】
このとき、カード装着検出手段から出力される信号に基づき、制御手段の判断手段により、挿入されたカードが所定のカード装着位置まで移送されない事態を生じていると判断され、この制御手段によってカードは所定の排出位置まで強制的に戻される。
【００１４】
このように本発明では、アームを設けることなくカードの誤挿入を防止できる。
【００１６】
また、本発明では、カードが挿入されると、その押し込み力によって搬送部材がローディング開始検出スイッチを作動させ、このローディング開始検出スイッチから出力される信号によりモータが駆動する。このモータの駆動により搬送部材がカードと一体的に移動する。
【００１７】
カードが正しく挿入されたときには、カードが所定の装着位置に至り、カード装着検出手段が作動する。例えばＯＦＦとなる。このカード装着検出手段から出力されるＯＦＦ信号によりモータが駆動を停止する。
【００１８】
また、カードが誤った形態で挿入されたときには、カード装着検出手段は作動せず、ＯＮのままに維持される。このＯＮ信号に基づいて制御手段の判断手段で判断され、制御手段からモータに反転駆動させる駆動信号が出力される。これにより、搬送部材がカードと一体的に排出位置まで戻される。
【００１９】
このように本発明は、カード装着検出手段によってローディング完了を検出するようにしてあり、他に特別にローディング完了検出スイッチを設ける必要がない。
【００２０】
また本発明は、上記発明において、上記カードが側縁に凹部を有するとともに、上記搬送部材が、上記凹部に係合する係合部材を備え、上記係合部材を上記凹部に係合させて上記カードの移送をおこなう構成にしてある。
【００２１】
また本発明は、上記構成において、上記制御手段の上記判断手段が、所定時間に基づいて判断をおこなうものから成る構成にしてある。
【００２２】
また本発明は、上記構成において、上記制御手段の上記判断手段が、上記モータの負荷電流に基づいて判断をおこなうものから成る構成にしてある。
【００２３】
【発明の実施の形態】
以下，本発明のカード接続装置の実施形態を図に基づいて説明する。
【００２４】
図１〜９は本発明の一実施形態を示す図である。図１はカバーを取外した状態を示す要部平面図、図２はコネクタ６を示す平面図、図３はコネクタ６に備えられるカード装着検出スイッチ８を拡大して示す側面図である。また図４は、小型メモリカード１０が所定のカード装着位置に装着されたときのカード装着検出スイッチ８を示す側面図、図５は小型メモリカード１０が所定のカード装着位置に装着されたときのコネクタ６と、小型メモリカード１０との装着関係を示す平面図である。
【００２５】
本実施形態はカバーを取外した状態である図１に示すように、本体を形成するシャーシ１内に、モータ２と、このモータ２によって回転するギヤ機構３と、このギヤ機構３によって直線動するラック４とを備えている。ラック４は、ばね５を介してラック４の下方に配置される搬送部材に連結してある。この搬送部材によって情報カードである例えば図５に示す小型メモリカード１０が移送される。
【００２６】
同図５に示すように、小型メモリカード１０は、前端部の一方の隅部に斜めに切り欠かれたテーパ部１０ａを有し、側縁に凹部１０ｂを有する。
【００２７】
上述した搬送部材は、凹部１０ｂに係合する図示しない係合部材を備えており、その係合部材を凹部１０ｂに係合させることにより小型メモリカード１０が搬送部材に一体化されて移送がおこなわれる。
【００２８】
上述したギヤ機構３、ラック４、及びばね５は、搬送部材を移動させる駆動機構を構成している。
【００２９】
図１に示すシャーシ１内の同図１の左側部分を形成する奥側位置には、すなわちギヤ機構３等の下方部分には、図２に示すコネクタ６を収納させてある。このコネクタ６は、小型メモリカード１０の裏面に設けられた接触部に接触する複数の端子部材７の他に、小型メモリカード１０が所定のカード装着位置まで移送されたことを検出するカード装着検出手段、すなわちカード装着検出スイッチ８を備えている。
【００３０】
このカード装着検出スイッチ８は、図３，４に示すように、固定接点部材８ａと可動接点部材８ｂとから成っている。例えば、小型メモリカード１０が所定の装着位置に至らないときには、固定接点部材８ａと可動接点部材８ｂとが接触し、図３に示すようにＯＮとなり、小型メモリカード１０が所定の装着位置に至ると、この小型メモリカード１０の前端部によって可動接点部材８ｂが押し動かされ、可動接点部材８ｂが固定接点部材８ａから離れＯＦＦとなる。
【００３１】
このように構成されるカード装着検出スイッチ８は、搬送部材がローディング完了位置へ移動したことを検出する検出手段を兼ねるものである。
【００３２】
また、コネクタ６は図２，５に示すように、小型メモリカード１０のテーパ部１０ａに対応した形状に形成され、コネクタ６に対する小型メモリカード１０の誤挿入を規制する誤挿入防止部、すなわち肉厚部１１を有する。さらに、このコネクタ６は、前述した搬送部材がローディングが開始される初期位置に移動したことを検出するローディング開始検出スイッチ９を備えている。
【００３３】
このローディング開始検出スイッチ９は、搬送部材の移動を検出しないときには例えばＯＮ信号を出力し、搬送部材の移動を検出したときにはＯＦＦ信号を出力する。
【００３４】
このローディング開始検出スイッチ９、上述のモータ２、ギヤ機構３、ラック４、ばね５、及び上述の搬送部材によって、ローディング機構が構成されている。
【００３５】
図１に示す状態では、同図１の右側から左側に向かって小型メモリカード１０が挿入され、所定の装着位置まで移送され、また同図１の左側から右側に向かって小型メモリカード１０が所定の排出位置まで移送される。
【００３６】
図６は本実施形態に備えられる制御手段１２の構成を示すブロック図、図７は図６に示す制御手段１２における処理手順を示すフローチャートである。
【００３７】
図６中、モータ２、ローディング開始検出スイッチ９、カード装着検出スイッチ８は、前述したものである。
【００３８】
本実施形態に備えられる制御手段１２は、ローディング開始検出スイッチ９から出力される信号、及びカード装着検出スイッチ８から出力される信号を入力する入力部１３を備えている。また、通常考えられるローディング開始からローディング完了までの時間よりもわずかに長い時間を、所定時間としてあらかじめ記憶する記憶部１５を備えている。
【００３９】
さらに、論理演算及び論理判断を実施する演算部１４を備えている。この演算部１４は、ローディング開始検出スイッチ９、カード装着検出スイッチ８から出力される信号に応じて、挿入された小型メモリカード１０が所定のカード装着位置まで移送されない事態を生じているかどうか判断する判断手段１４ａを含んでいる。また、ローディング開始検出スイッチ９からＯＦＦ信号が入力されたときに、時間計測を開始するタイマ１４ｂを含んでいる。制御手段１２は後述のように、演算部１４の判断手段１４ａで、挿入された小型メモリカード１０が所定のカード装着位置まで移送されない事態を生じていると判断された場合に、小型メモリカード１０を所定の排出位置まで強制的に移送させる制御をおこなうものである。
【００４０】
図８はカード誤挿入の第１の例を示す平面図、図９はカード誤挿入の第２の例を示す平面図である。図８に示す第１の例は、表裏を逆にして挿入された場合で、小型メモリカード１０の前端部のテーパ部１０ａを設けてない方の隅部がコネクタ６の肉厚部１１に衝合している。図９に示す第２の例は、前後を逆にして挿入された場合で、小型メモリカード１０の後端部の一方の隅部がコネクタ６の肉厚部１１に衝合している。
【００４１】
次に、上述のように構成した本実施形態の動作について、主に図７に示すフローチャートに基づいて説明する。
【００４２】
［ローディング開始］
図１の右側に位置する図示しない挿入口から小型メモリカード１０が挿入され、搬送部材上に押し込まれると、その押し込み力によって搬送部材がばね５の力に抗して図１の左方向に移動し、この搬送部材の係合により、ローディング開始検出スイッチ９がＯＮからＯＦＦに動作する。制御手段１２の入力部１３からそのＯＦＦ信号が入力され、同図７の手順Ｓ１に示すように、演算部１４の判断手段１４ａで、「ローディング開始検出スイッチ９からＯＦＦ信号が入力されたか」どうか判断される。今は、このＯＦＦ信号が入力されたので、手順Ｓ２に移る。手順Ｓ２ではモータ駆動制御と時間計測がおこなわれる。
【００４３】
すなわち、出力部１６を介してモータ２に駆動制御信号が出力され、これによりモータ２が駆動する。このモータ２の駆動に伴って、図１に示すギヤ機構３が回転し、ラック４が同図１の左方向に直線的に移動し、ばね５を介して搬送部材が移動する。
【００４４】
なお、図示しないが、この搬送部材の移動の間、搬送部材に設けた上述の図示しない係合部材が小型メモリカード１０の凹部１０ｂに係合し、これにより小型メモリカード１０が搬送部材と一体に移送される。
【００４５】
また、上述したローディング開始検出スイッチ９から出力されるＯＦＦ信号に応じて、タイマ１４ｂが時間計測を開始する。
【００４６】
次に図７の手順Ｓ３に移る。この手順Ｓ３では、記憶部１５に記憶されている所定時間が読み込まれ、タイマ１４ｂで計測された時間が所定時間に至ったかどうか、判断手段１４ａで判断される。所定時間に至っていないと判断されたときには、手順Ｓ４に移る。手順Ｓ４では、判断手段１４ａで「カード装着検出スイッチ８からＯＦＦ信号が入力されたか」どうか判断される。
【００４７】
小型メモリカード１０が所定の装着位置まで移送される間、手順Ｓ３→Ｓ４→Ｓ３の判断処理が実行される。
【００４８】
［小型メモリカード１０が正しく挿入されたとき］
今例えば、小型メモリカード１０が正しく挿入されたものとすると、図５に示すように、所定の装着位置において、小型メモリカード１０のテーパ部１０ａが肉厚部１１に適合し、図４に示すように小型メモリカード１０によってカード装着検出スイッチ８がそれまでのＯＮからＯＦＦとなる。このＯＦＦ信号が図６に示す入力部１３に入力される。従って、判断手段１４ａでおこなわれる図７の手順Ｓ４に示す判断はイエスとなり、手順Ｓ５に示すようにモータ２の停止制御が実行される。
【００４９】
これによりモータ２が停止し、ギヤ機構３の回転は停止し、ばね５を介して搬送部材及び小型メモリカード１０の移動が停止する。従って、小型メモリカード１０の接触部とコネクタ６の端子部材７のそれぞれとが接触し、小型メモリカード１０とコネクタ６との間で、所望の信号の送受信が可能となる。
【００５０】
［小型メモリカード１０が誤挿入されたとき］
また、図８あるいは図９に示すように、小型メモリカード１０が誤挿入されたときには、小型メモリカード１０がコネクタ６の肉厚部１１によって挿入を規制される。従って、カード装着検出スイッチ８からＯＦＦ信号が入力されないままに、上述の所定時間に至る事態を生じる。すなわち、図７に示す手順Ｓ３の判断がイエスとなり、手順Ｓ６に移る。この手順Ｓ６では、判断手段１２からモータ２を反転駆動させる駆動制御信号が出力される。
【００５１】
これによりモータ２が反転し、搬送部材及び小型メモリカード１０が図示しない挿入口方向に移動する。
【００５２】
所定の排出位置まで搬送部材が戻ると、この搬送部材に係合するローディング開始検出スイッチ９はＯＮとなる。従って、判断手段１４ａでおこなわれる図７の手順Ｓ７の判断はイエスとなり、モータ２の停止制御が実行される。
【００５３】
これにより、搬送部材及び小型メモリカード１０が排出位置に停止する。
【００５４】
なお、搬送部材が所定の排出位置まで戻される間、この搬送部材に設けた図示しない係合部材が、例えば小型メモリカード１０の凹部１０ｂから離脱し、これにより小型メモリカード１０を図示しない挿入口から抜き取ることができる。
【００５５】
以上のように、本実施形態では、コネクタ６に肉厚部１１を設け、ローディング開始検出スイッチ９から出力される信号と、カード装着検出スイッチ８から出力される信号とを活用することにより、アーム等の特別な部材を設けることなく小型メモリカード１０の誤挿入の防止を実現できる。従って、部品数が少なく、構造が簡単であり、製作費を安くすることができる。また、シャーシ１の全長を上述のアーム等によって規制される長さに相当する分だけ短くすることができ、小型化を実現できる。
【００５６】
また、カード装着検出スイッチ８から出力された信号をローディング完了の検出に活用してあることから、他に特別にローディング完了検出スイッチを要することがない。この点でも、部品数が少なく、構造が簡単であり、これらにより製作費を安くすることができる。
【００５７】
また、上述のように搬送部材に設けた図示しない係合部材を小型メモリカード１０の凹部１０ａに係合させて、この小型メモリカード１０を移送させることから搬送のためのローラ等を要することがない。従って、ローラ等を設けることによる厚さ寸法の増加を招くことがなく、薄型化を実現できる。また、図示しない係合部材を小型メモリカード１０の凹部１０ａに係合させることにより、この小型メモリカード１０を搬送部材と一体的に確実に移送させることができ、小型メモリカード１０に対する優れた移送機能を有する。
【００５８】
また、制御手段１２の制御により、誤挿入された小型メモリカード１０を強制的に所定の排出位置まで戻すことができ、誤挿入を確実に気付かせることができ、この点で優れた誤挿入防止機能を有する。
【００５９】
また、制御手段１２の判断手段１４ａが所定時間に基づいておこなうものから成っており、ローディング動作に係る所定時間は経験的に容易に、しかも高い精度で把握できる。すなわち、精度の高い所定時間を設定することができる。これにより精度の高い誤挿入防止機能が得られる。
【００６０】
なお、上記実施形態では、上述のように記憶部５に所定時間を記憶させ、この所定時間に基づいて小型メモリカード１０が誤挿入されたかどうか判断し、モータ２の反転制御を実施する構成にしてあるが、本発明は、これに限られず、例えばモータ２の負荷電流の大きさに基づいて誤挿入されたかどうか判断して、モータ２の反転制御を実施する構成にしてもよい。
【００６１】
すなわち、小型メモリカード１０の誤挿入がおこなわれたときには、小型メモリカード１０がコネクタ６の肉厚部１１に衝合することにより、モータ２の負荷電流が大きくなる。このような状態を生じたかどうかに基づいて、小型メモリカード１０の誤挿入を検出する構成にしてもよい。
【００６２】
このように構成したものも、モータ２の負荷電流の変化を容易に、かつ確実に把握できることから、精度の高い誤挿入防止機能が得られる。
【００６３】
【発明の効果】
以上述べたように本発明は、カードがテーパ部を有し、コネクタがそのテーパ部に対応した形状に形成された誤挿入防止部と、カードが所定の装着位置まで移送されたことを検出するカード装着検出手段とを備えている。さらに、カード装着検出手段から出力される信号に応じて、挿入されたカードが所定のカード装着位置まで移送されない事態を生じているかどうか判断する判断手段を含み、この判断手段で、挿入されたカードが所定のカード装着位置まで移送されない事態を生じていると判断された場合に、カードを所定の排出位置まで強制的に戻す制御をおこなう制御手段を備え、上記ローディング機構が、上記カードを移送させるための搬送部材と、この搬送部材を移動させるモータと、ローディングが開始される初期位置に上記搬送部材が移動したことを検出するローディング開始検出スイッチとを含み、上記カード装着検出手段が、上記搬送部材がローディング完了位置へ移動したことを検出する検出手段を兼ねている。
【００６４】
これにより、従来のようにアーム等の特別な部材を設けることなく誤挿入の防止を実現でき、部品数が少なく、構造を簡単にすることができ、従来に比べて製作費を安くすることができる。また、アーム等によって規制される長さに相当する分だけ装置の全長を従来よりも短くすることができ、小型化を実現できる。さらに、カードの誤挿入を生じたときには、カードを強制的に所定の排出位置まで戻すことから、誤挿入であることを確実に気付かせることができ、優れた誤挿入防止機能を有する。
【００６６】
また、他に特別なローディング完了検出スイッチを要することがなく、この点でも部品数が少なく、構造を簡単にすることができ、これらにより製作費を安くすることができる。
【００６７】
また本発明は、カードが側縁に凹部を有するとともに、搬送部材が、凹部に係合する係合部材を備え、この係合部材を凹部に係合させてカードの移送をおこなうものである。
【００６８】
これにより、搬送のためのローラ等を要することがなく、従って、ローラ等を設けることによる厚さ寸法の増加を招くことがなく、薄型化を実現できる。搬送部材に設けられた係合部材をカードの凹部に係合させることにより、このカードを搬送部材と一体的に確実に移送させることができ、カードに対する優れた移送機能を有する。
【００６９】
また本発明は、制御手段の判断手段が所定時間に基づいておこなうものから成っている。あるいは、制御手段の判断手段がモータの負荷電流に基づいて判断をおこなうものから成っている。
【００７０】
ローディング動作に係る所定時間は、経験的に容易に、しかも高い精度で把握できる。すなわち精度の高い所定時間を設定することができる。同様に、モータの負荷電流の変化も容易に、かつ確実に把握することができる。
【００７１】
従って、上述の所定時間、あるいはモータの負荷電流に基づく制御を実施することにより、制度の高い誤挿入防止機能が得られる。
【図面の簡単な説明】
【図１】本発明のカード接続装置の一実施形態において、カバーを取り外した状態を示す要部平面図である。
【図２】図１に示す一実施形態に備えられるコネクタを示す平面図である。
【図３】図２に示すコネクタに備えられるカード装着検出スイッチを拡大して示す側面図である。
【図４】図１に示す一実施形態において、小型メモリカードが所定のカード装着位置に装着されたときのカード装着検出スイッチを示す側面図である。
【図５】図１に示す一実施形態において、小型メモリカードが所定のカード装着位置に装着されたときのコネクタと、小型メモリカードとの装着関係を示す平面図である。
【図６】図１に示す一実施形態に備えられる制御手段の構成を示すブロック図である。
【図７】図６に示す制御手段における処理手順を示すフローチャートである。
【図８】図１に示す一実施形態で生じるカード誤挿入の第１の例を示す平面図である。
【図９】図１に示す一実施形態で生じるカード誤挿入の第２の例を示す平面図である。
【符号の説明】
１    シャーシ
２    モータ（ローディング機構）
３    ギヤ機構（ローディング機構）
４    ラック（ローディング機構）
５    ばね（ローディング機構）
６    コネクタ
７    端子部材
８    カード装着検出スイッチ（カード装着検出手段）
８ａ  固定接点形成部材
８ｂ  可動接点形成部材
９    ローディング開始検出スイッチ（ローディング機構）
１０  小型メモリカード
１０ａ  テーパ部
１０ｂ  凹部
１１    肉厚部（誤挿入防止部）
１２    制御手段
１３    入力部
１４    演算部
１４ａ  判断手段
１４ｂ  タイマ
１５    記憶部
１６    出力部
【図１】
0003961871.tif 000002
【図２】
0003961871.tif 000003
【図３】
0003961871.tif 000004
【図４】
0003961871.tif 000005
【図５】
0003961871.tif 000006
【図６】
0003961871.tif 000007
【図７】
0003961871.tif 000008
【図８】
0003961871.tif 000009
【図９】
0003961871.tif 000010